(57)【特許請求の範囲】
【請求項１】
遊技媒体を収納する収納箱を台車で運搬する運搬システムにおいて、
上記収納箱は、合成樹脂を射出成型してなり、底面部と、該底面部の周囲に形成される側面部と、上面に開口部とを有する略直方体状の収納部と、
上記側面部と連続して上記底面部より下側まで延設された環状の支持脚と、
上記収納部の相対する短辺に、外側に張り出すように形成された第１の把持部とを備え、
上記台車は、上記収納箱と縦横高さが略同じとなるように、上記収納箱と同じ合成樹脂で射出成型してなり、
表面が略平坦面とされ、全体が上記収納箱の載置面とされた略四角板状をなす本体部と、
上記本体部の裏面に設けられるキャスタと、
上記本体部の側面部と連続して下側に延設され、その先端が上記キャスタの車輪の回転中心より下側に位置するように形成された覆い壁部と、
上記載置面に形成され、上記収納箱が該載置面と同じ向きに載置されたときに、該収納箱の上記支持脚に係合して、該収納箱が上記載置面から脱落することを防止する第１の脱落防止突部と、
上記本体部の相対する短辺に、外側に張り出すように形成された第２の把持部と、
上記第２の把持部に形成され、上記載置面の長辺に対して、上記収納箱の支持脚の長辺が略直角になるように、該収納箱の支持脚の長辺を突き合わせて、２つの上記収納箱を並べて上記載置面に載置したときに、該並べられた２つの収納箱の、該収納箱の支持脚の長辺のうち、突き合わされていない側の長辺にそれぞれ係合し、上記２つの収納箱が上記載置面から脱落することを防止する第２の脱落防止突部とを備え、
上記第１の脱落防止突部及び上記第２の脱落防止突部は、上記収納箱が上記載置面に載置されたときに、上記支持脚との間に間隙が形成される位置に形成されることを特徴とする運搬システム。
【請求項２】
上記第１の脱落防止突部は、上記支持脚の各角部に係合するように、略Ｌ字状に形成され、
上記第２の把持部には、上側に膨出する膨出部が形成されており、
上記第２の脱落防止部は、上記膨出部の内側壁部である請求項１記載の運搬システム。
【請求項３】
上記収納箱の上面に形成された開口の開口端には、上記側面部より外側に張り出す段部が形成されており、
上記収納箱の支持脚の先端部は、上記段部又は上記側面部の内側に係合し、
上記台車の覆い壁部の先端部は、上記収納箱の上記段部又は上記側面部の内側に係合する請求項１又は請求項２記載の運搬システム。
【請求項４】
上記収納箱の上記底面部には、新たに底面部を形成する中板が着脱可能に取り付けられ、
上記中板は、先端が上記収納部の上記底面部に突き当たって、該収納部の深さを規定する深さ規定片と、
上記中板を上記収納部の上記底面部に取り付けるための弾性係合片とを有し、
上記収納部の上記底面部には、弾性係合片が係合する係合孔が形成されている請求項１乃至請求項３のうちいずれか１項記載の運搬システム。
【請求項５】
合成樹脂を射出成型してなり、底面部と、該底面部の周囲に形成される側面部と、上面に開口部とを有する略直方体状の収納部と、該側面部と連続して該底面部より下側まで延設された環状の支持脚と、該収納部の相対する短辺に、外側に張り出すように形成された把持部とを備え、該収納部に遊技媒体を収納する収納箱を運搬する台車において、
上記台車は、上記収納箱と縦横高さが略同じとなるように、上記収納箱と同じ合成樹脂で射出成型してなり、
表面が略平坦面とされ、全体が上記収納箱の載置面とされた略四角板状をなす本体部と、
上記本体部の裏面に設けられるキャスタと、
上記本体部の側面部と連続して下側に延設され、その先端が上記キャスタの車輪の回転中心より下側に位置するように形成された覆い壁部と、
上記載置面に形成され、上記収納箱が該載置面と同じ向きに載置されたときに、該収納箱の上記支持脚に係合して、該収納箱が上記載置面から脱落することを防止する第１の脱落防止突部と、
上記本体部の相対する短辺に、外側に張り出すように形成された把持部と、
上記把持部に形成され、上記載置面の長辺に対して、上記収納箱の支持脚の長辺が略直角になるように、該収納箱の支持脚の長辺を突き合わせて、２つの上記収納箱を上記載置面に並べて載置したときに、該並べられた２つの収納箱の、該収納箱の支持脚の長辺のうち、突き合わされていない側の長辺にそれぞれ係合し、上記２つの収納箱が上記載置面から脱落することを防止する第２の脱落防止突部とを備え、
上記第１の脱落防止突部及び上記第２の脱落防止突部は、上記収納箱が上記載置面に載置されたときに、上記支持脚との間に間隙が形成される位置に形成されることを特徴とする台車。
【発明の詳細な説明】
【技術分野】
【０００１】
本発明は、パチンコ玉やメダル等の遊技媒体を収納する収納箱とこの収納箱を運搬する台車とからなる運搬システム及び台車に関する。
【背景技術】
【０００２】
遊技店で遊ぶ遊技者は、出玉やメダルを玉箱という収納箱に入れて、その出玉等の入った収納箱を、遊技者の足元に積み重ねて置いている。収納箱を高く積み重ねた状態を店内外の顧客に見せることは、出玉の好調さを示すものとして遊技者に高揚感をもたらすとともに、遊技店にとって店内外の顧客に対する宣伝広告となる。一方、出玉を景品等と交換するときに、遊技者又は遊技店店員は、出玉の入った収納箱を台車に積載して、計数機のある場所まで収納箱を運搬する必要がある。
【０００３】
そこで、収納箱の底部に車輪を取り付けたものを台車とし、又は収納箱に類似した形状の台車として、これら台車の上に収納箱を積載することで、台車をあたかも収納箱であるかのように見せて、見かけの収納箱の積載数を増やし、店内外の顧客に対する宣伝広告の効果を高めることが、特許文献１に開示されている。
【０００４】
また、出玉を収納した収納箱を台車に積載して、計数機のある場所まで台車により運搬する場合に、一度に積載できる収納箱の数量に制限があると、遊技者又は遊技店店員は、計数機のある場所まで何度も往復しなければならない。そこで、より多くの収納箱を積載するために、台車の長辺の向きに対して横向きにした収納箱を２列にして積載することが特許文献２に開示されている。
【先行技術文献】
【特許文献】
【０００５】
【特許文献１】実用新案登録第３１３６９３５号公報
【特許文献２】実用新案登録第３１２０３１３号公報
【発明の概要】
【発明が解決しようとする課題】
【０００６】
特許文献１は、台車の大きさを収納箱程度にまで小さくすると、収納箱を積載できる面積が、台車の大きさに比例して小さくなる。そうすると、収納箱を１列単位で台車に積み重ねなければならず、従来の大きな台車に、収納箱を２列にして積載した場合に比べて収納箱の積載数が減少する。結果として、遊技者又は遊技店店員が、計数機のある場所まで何度も往復し、収納箱の載せ換え作業をしなければならないという問題がある。
【０００７】
特許文献２によれば、収納箱の底部を完全に台車に嵌め込む構造を有するため台車が大型化するので、台車を常時遊技者の足元に置いておくことができず、必要のたびに台車を準備しなければならない。このため、台車による見かけ上の積み重ね効果を望めないという問題がある。更に、台車に形成した凹部に収納箱を完全に嵌め込むことにより台車と収納箱を固定する構造のため、専用の収納箱と、専用の台車としなければならないという問題がある。
【０００８】
また、特許文献２においては、収納箱の積載数は、１列に積み重ねる場合に比べて２倍の収納箱を積載できる。しかしながら、特許文献２では、台車の長辺の向きに対して横向きにするときの収納箱の大きさは、小型のものしか積載できないので、収納箱の積載数が２倍になっても、運搬できる出玉の数量を実質的に多くすることはできない。
【０００９】
特許文献２の場合、嵌合凹部を有する専用の台車に嵌合凸部を有する専用の収納箱を嵌め込んで運搬することとしている。しかしながら、パチンコ玉がたくさん入った収納箱は、重く、人手で収納箱の凸部を台車の凹部に合わせ込んで嵌め込むことが困難である。
【００１０】
また、大量に出玉等があった場合に、収納箱から出玉等を露出したままにしておくと、遊技者が離席したときに、第三者による出玉の盗難を惹起するおそれがある。そのため、遊技者又は遊技店は、出玉等の盗難を防止する必要もある。
【００１１】
そこで、本発明は、遊技者の足元に置ける程度に台車を小型化しつつ、より多くの収納箱を運搬可能とする、遊技媒体の収納箱の台車による運搬システム及び台車を提供することを目的とする。
【００１２】
また、本発明は、台車と収納箱を外観上類似させることで、台車上の収納箱の積載数を見かけ上増やし、台車を小型化して台車及び収納箱の積み重ね数を増やすことによる店内外の顧客に対する宣伝広告効果を高めることができる、運搬システム及び台車を提供することを目的とする。
【００１３】
更に、本発明は、出玉等の盗難を防止できる、遊技媒体の収納箱の台車による運搬システム及び台車を提供することを目的とする。
【課題を解決するための手段】
【００１４】
上記課題を解決するため、遊技媒体を収納した収納箱を台車で運搬する運搬システムにおいて、合成樹脂の射出成型により収納箱を形成する。そして、収納箱は、底面部と底面部の周囲に形成される側面部とを有し、上面を開口した略直方体状の収納部と、側面部と連続して底面部より下側まで延設された環状の支持脚と、収納部の相対する短辺に、外側に張り出すように形成された第１の把持部とを備えている。
【００１５】
台車は、収納箱の縦横高さと略同じとなるように、収納箱と同じ合成樹脂で射出成型して形成される。台車は、表面が略平坦面とされ、収納箱の載置面とされた略四角板状の本体部と、本体部の載置部の裏面に設けられるキャスタと、本体部の側面と連続して下側に延設され、その先端がキャスタの車輪の回転中心より下側に位置するように形成された覆い壁部と、１つの収納箱が載置面と同じ向きに載置されたときに、１つの収納箱の支持脚に係合して、１つの載置面から脱落することを防止する第１の脱落防止突部と、本体部の相対する短辺に、外側に張り出すように形成された第２の把持部と、第２の把持部に形成され、載置面の長辺に対して、収納箱の支持脚の長辺が略直角になるように、収納箱の支持脚の長辺を突き合わせて、２つの収納箱を並べて載置面に載置したときに、並べられた２つの収納箱の、収納箱の支持脚の長辺のうち、突き合わされていない側の長辺にそれぞれ係合し、２つの収納箱が載置面から脱落することを防止する第２の脱落防止突部とを備えている。第１の脱落防止突部及び第２の脱落防止突部は、収納箱が載置面に載置されたときに、支持脚との間に間隙が形成される位置に形成される。
【発明の効果】
【００１６】
本発明の運搬システムによれば、収納箱と台車の大きさ及び形状は、略同じであるから、台車に収納箱を積載した状態で、台車を遊技者の足元に置くことができる。収納箱を台車上に積載する場合に、収納箱に形成された支持脚と台車に形成された第１の脱落防止突部とが係合し、台車から収納箱が脱落することを防止することができる。また、台車の長辺に対して横向きに２つの収納箱を長辺を突き合わせて並べて載置することにより、収納箱と同程度の大きさの台車であるにも関わらず、縦向きに収納箱を置いたときに比べて２倍の数量の収納箱を積載することができる。この場合において、第２の脱落防止突部は、隣り合う収納箱の支持脚の長辺のうち、突き合わされていない側の長辺にそれぞれ係合することにより、２つの収納箱が載置面から脱落することを防止する。ここで、収納箱の支持脚と第１の脱落防止突部又は第２の脱落防止突部との間に間隙を設けることにより、収納箱の脱落を効果的に防止しつつ、容易に、重量物である収納箱を台車に載置することを可能にする。以上より、本発明は、遊技者の足元に置ける程度に台車を小型化しつつ、より多くの収納箱を運搬可能とする、遊技媒体の収納箱の台車による運搬システム及び台車を提供することができる。
【００１７】
また、収納箱と台車の材質も同じなので、台車に収納箱を積み重ねて置いたときに、見かけ上、台車の分だけ収納箱を多く積み重ねているように見せることができ、店内外の顧客に対する宣伝広告効果を高めた、運搬システム及び台車を提供することができる。
【００１８】
更に、出玉を収納した収納箱上に台車を積載することで、本発明は、出玉の盗難を防止する運搬システム及び台車を提供することができる。
【図面の簡単な説明】
【００１９】
【図１】本発明が適用されたパチンコ玉の運搬システムにおいて収納箱を台車に１列分積み重ねる場合の分解斜視図である。
【図２】本発明が適用されたパチンコ玉の運搬システムにおいて収納箱を台車に２列分積み重ねる場合の分解斜視図である。
【図３】本発明が適用された収納箱の平面図である。
【図４】本発明が適用された収納箱の側断面図である。
【図５】本発明が適用された収納箱の側面図である。
【図６】本発明が適用された収納箱において、中板との関係を示す分解斜視図である。
【図７】（Ａ）は本発明が適用された中板の正面図であり、（Ｂ）は本発明が適用された中板の平面図であり、（Ｃ）は、本発明が適用された中板の底面図である。
【図８】本発明が適用された収納箱において、中板との関係を示す図３におけるＢ−Ｂ断面図である。
【図９】本発明が適用された台車の平面図である。
【図１０】本発明が適用された台車の正面図である。
【図１１】図９におけるＣ−Ｃ断面図である。
【図１２Ａ】本発明が適用された運搬システムにおいて、台車の上に収納箱を１列に２段積み重ねて置いた状態を示す図である。
【図１２Ｂ】本発明が適用された運搬システムにおいて、台車の上に収納箱を１列に積み重ねて、その上に台車を積み重ねて置いた状態を示す図である。
【図１２Ｃ】本発明が適用された運搬システムにおいて、台車の上に収納箱を２列に２段積み重ねて置いた状態を示す図である。
【図１２Ｄ】本発明が適用された運搬システムにおいて、台車の上に収納箱を２列に積み重ねて、その上にそれぞれ台車を積み重ねて置いた状態を示す図である。
【発明を実施するための形態】
【００２０】
以下、本発明が適用されたパチンコ玉の運搬システムについて、図面を参照して説明する。
【００２１】
１．運搬システム１の構成
図１及び図２に示すように、本発明が適用された運搬システム１は、パチンコの出玉（以下、単に出玉ともいう。）を収納する収納箱１１を台車４１により運搬するシステムである。なお、パチンコの出玉以外のもの、例えばスロットマシンのメダル等も収納箱１１に収納して本発明の運搬システムにより運搬することができる。
【００２２】
この運搬システム１では、図１に示すように、収納箱１１と台車４１は、略同じ大きさ及び略同じ形状に形成されている。これにより、台車４１に収納箱１１を積み上げると、あたかも出玉が入った収納箱上に、更に収納箱１１を積み上げているように見せることができる。
【００２３】
また、運搬システム１では、図１のように、台車４１に対して、収納箱１１を同じ向きにして積み上げることができるほかに、図２のように、台車４１の長手方向に対して収納箱１１を横向きにして２列並べることができる。そして、並べた収納箱１１それぞれに更に収納箱（図示せず）を積み上げることにより、一度に多くの収納箱１１を台車４１で運搬できる。
【００２４】
２．収納箱１１
図１乃至図６に示すように、運搬システム１に用いられる収納箱１１は、出玉を収納する収納部１２と、収納部１２を支持する支持脚１６と、収納部１２の短辺の両側に張り出して形成される第１の把持部２１を備える。
【００２５】
また、図６に示すように、収納箱１１には、中板３１を取り付けたり、取り外したりすることができ、収納箱１つ当たりの出玉の収納数量を調整することができる。中板３１を取り付けることにより、より少ない出玉で収納箱１１を一杯にすることができるので、より少ない出玉であっても、より多くの収納箱を積み上げることができる。
【００２６】
（１）収納部１２
図３乃至図５に示すように、収納部１２は、底面部１３と、底面部１３の周囲に形成される側面部１４とを有し、上面に開口部１５を設けた略直方体状の容器となっている。また、収納部１２は、開口部１５の開口端が外側に張り出し、その先端がＬ字状の壁面を備える段部１８を有する。
【００２７】
底面部１３には、出玉の１つの一部を外部に臨ませる第１の静電気放電用孔１９が収納部１２の長手方向に離間して形成されている。
【００２８】
この静電気放電用孔１９は、底面部１３に出玉の１つの一部を臨ませる大きさの孔部１９ａを有するとともに、上側に向かって次第に拡径する周壁１９ｂが形成されている。
【００２９】
この静電気放電用孔１９は、周壁１９ｂで囲まれる空間には複数の出玉が進入することになるが、孔部１９ａより、外部に嵌合する出玉は１つである。静電気放電用孔１９では、周壁１９ｂが上側に向かって拡径するように形成されていることで、容易に出玉を指で取りだすことができる。
【００３０】
また、孔部１９ａより、外部に臨む出玉は、床等に接触することで、静電気を床等に放電することができる。例えば、静電気放電用孔１９の孔径は、出玉が孔から外部に落ちない程度であって、かつ出玉の先端が床等に接触する程度に設定され、パチンコ玉の径は、一般に、１１ｍｍ程度なので、静電気放電用孔１９の孔径は、７ｍｍ程度の円形としている。なお、静電気放電用孔１９の数や位置は、この例に限られるものではない。
【００３１】
図３乃至図５に示すように、収納箱１１の側面部１４は、複数の空の収納箱を重ねて収納するために、底面部１３から上方に向かって若干拡がるテーパ状をなしている。
【００３２】
段部１８は、側面部１４の上端周囲に沿って、外側に張り出し、Ｌ字状に壁面をなしている。段部１８は、収納箱１１の上に更に別の収納箱又は台車を積み上げるときに、収納箱１１の支持脚１６又は台車４１の覆い壁部４４の先端部を係合して固定するために用いられる。その他、段部１８は、収納した出玉（図示せず）を段部１８に滞留させることで、出玉がはじき出されるのを防止することができる。
【００３３】
（２）支持脚１６
支持脚１６は、側面部１４に連続して底面部１３より下側に環状に延設して形成される。支持脚１６は、台車４１の載置面４８に形成された、第１の脱落防止突部４５又は第２の脱落防止突部４７と係合して、台車４１上から収納箱１１が脱落することを防止する。また、出玉の収納された収納箱１１の上に、収納箱を置いたときには、支持脚１６と底面部１３の裏面とで囲まれる空間に、下の収納箱１１の出玉が収容される状態となるので、これらの出玉がはじき出されるのを防止することができる。
【００３４】
（３）第１の把持部２１
第１の把持部２１は、収納部１２を相対する短辺より外側に張り出すように一体成型されるものであり、短辺の中央部分に形成される握り部２３と、握り部２３の両側に形成される支持板２２と、握り部２３や支持板２２を補強する補強リブ２４とを有する。
【００３５】
握り部２３は、収納部１２の短辺より外側に張り出すように形成されており、収納部１２の短辺と平行に膨出部２６が形成され、例えば、手の指を引っ掛けることができるようになっている。この握り部２３の両側には、支持板２２が形成され荷重のかかる握り部２３を補強する。更に、握り部２３や支持板２２の裏面には、補強リブ２４が垂下するように設けられ、握り部２３全体を補強するようにしている。
【００３６】
握り部２３の下側には、嵌め込み式の補助握り部材２５が取り付けられる。この補助握り部材２５は、その長手方向の両側に取付突部２５ａが形成されている。この取付突部２５ａは、補強リブ２４に形成された取付孔２４ａに嵌合される。補助握り部材２５には、収納箱１１の持ち運び時に人差し指から小指が引っ掛かる凹部が複数形成され、持ち運びをし易くしている。補助握り部材２５は、収納部１２と同じ材料及び同じ色で形成されており、収納部１２との一体感を出すようにしている。握り部２３、補助握り部材２５及び支持板２２で囲まれる空間は、貫通した空間部２７を構成しており、手で持ったとき、指を通すことができるようになっている。なお、補助握り部材２５は、収納部１２と異なる色で形成してもよい。補助握り部材２５の交換による長寿命化や、色彩を変えてデザイン上の演出をすることができる。
【００３７】
また、握り部２３の上部には、遊技機のハンドルを持つ手を置くこともできる。すなわち、収納箱１１は、遊技機のハンドルの高さに合わせ高さが設定される。なお、高さについては、この例に限られるものではない。
【００３８】
（４）中板３１
中板３１は、図６及び図７に示すように、収納部１２の底面部１３と平行に配置される上げ底で、収納部１２と略同じ寸法及び同じ色で成型されている。中板３１は、収納部１２の底面部１３と平行に配される板本体３２に、収納部１２の深さを規定する深さ規定片３５と、収納部１２内に取り付けるための弾性係合片３４とが設けられている。
【００３９】
板本体３２は、収納部１２内で所定の高さに配設できるように、略矩形に形成されている。
【００４０】
板本体３２の裏面に設けられる深さ規定片３５は、板本体３２の収納部１２内における高さを規定するものであって、先端部が収納部１２の底面部１３に突き当たる。この深さ規定片３５は、板本体３２の裏面の周囲に設けられるとともに、その内側にも多数形成され、出玉を多数収納したときにも、板本体３２が撓まないようにしている。すなわち、深さ規定片３５は、板本体３２の補強リブとしても機能している。
【００４１】
弾性係合片３４は、略矩形の板本体３２の裏面の各角部に形成されるとともに、板本体３２の長辺の中程にも設けられ、合計６つ形成されている。各弾性係合片３４は、先端部に突出した係合部３４ａが形成されている。係合部３４ａは、弾性係合片３４が弾性変位することで、収納部１２の底面部１３に形成された係合孔２０に係合される。
【００４２】
中板３１には、更に収納部１２の底面部１３に形成された第１の静電気放電用孔１９に対応する第２の静電気放電用孔３３が形成されている。この第２の静電気放電用孔３３の孔部３３ａは、収納部１２の底面部１３に設けられた第１の静電気放電用孔１９の底面部１３の内側の開口部と略同じ大きさであり、周壁３３ｂは、上から下に向かって縮径するように形成されている。中板３１が収納部１２に取り付けられたとき、周壁３３ｂは、収納部１２の底面部１３の第１の静電気放電用孔１９の周壁１９ｂと連続し、１つの放電用孔を構成する。
【００４３】
以上のような中板３１は、収納部１２の底面部１３の係合孔２０に弾性係合片３４を係合させ、深さ規定片３５を収納部１２の底面部１３に突き当てることによって、収納部１２内の所定の高さに配され、収納部１２の深さを浅くする。
【００４４】
なお、中板３１の弾性係合片３４を設ける位置や数は、これに限定されるものではなく、深さ規定片３５を設ける位置もこれに限定されるものではない。
【００４５】
また、収納部１２の深さを適宜変更できるように、深さ規定片３５や弾性係合片３４の長さが異なる複数の中板３１を用意してもよい。
【００４６】
３．台車４１
以上のように構成される収納箱１１を運搬する台車４１は、収納箱１１の縦横高さを略同じになるように、収納箱１１と同じ合成樹脂を射出成型することにより形成される。台車４１は、表面が収納箱１１を載置する平坦な載置面とする本体部４２と、台車を移動させるキャスタ４３と、キャスタ４３の外観を略隠す覆い壁部４４と、本体部４２の短辺の両側に張り出して形成される第２の把持部４６とを備えている。
【００４７】
台車４１は、収納箱１１の縦横高さと略同じにし、更に色も同じにして、収納箱１１の外観と類似させている。
【００４８】
（１）本体部４２
本体部４２は、載置面４８とした略四角形の板である。載置面４８は、収納箱１１を安定して載置できるように、略平坦面であり、収納箱１１の支持脚１６で囲まれる領域より一回り大きく形成されている。そして、載置面４８の長辺の長さは、収納箱１１の短辺の長さの２倍よりもやや長く形成され、図２に示すように、収納箱１１を台車４１に対して横向きに２列で載置されるようにしている。
【００４９】
なお、図１１に示すように、本体部４２の裏面には、補強リブ５０を形成している。補強リブ５０は、載置面４８の裏面の周囲に設けられるとともに、その内側にも複数形成され、出玉を多数収納したときにも、本体部４２が撓まないようにしている。
【００５０】
（２）キャスタ４３
本体部４２の裏面には、各角部近傍にキャスタ４３が合計して４つ設けられている。本体部４２の長手方向の一方の側の２つのキャスタ４３は、旋回式で、他方の側のキャスタは、固定式となっており、容易に走行方向を変えることができるようになっている。各キャスタ４３は、１対の支持板５２ｂに固定されている、回転中心となる車軸５１に車輪５２ａを取り付けて構成されている。
【００５１】
以上のように、構成されるキャスタ４３は、本体部４２の裏面の各角部近傍の所定位置に設けられたキャスタ支持台５３にネジや接着剤により固定される。
【００５２】
（３）覆い壁部４４
覆い壁部４４は、本体部４２の側面と連続して下側まで延設され、その先端がキャスタ４３の車軸５１より下側に位置するように形成される。覆い壁部４４の先端は、キャスタ４３の車軸５１の下側まで延ばして、走行接地面より僅かに上側に位置するように設定する。このため、台車４１の外観上は、車輪がほとんど見えないようになる。例えば、覆い壁部４４の高さを７０ｍｍとし、上述のキャスタ支持台５３等の長さ等を適切に設定することにより、車輪５２ａの部分を５ｍｍ程度露出させることができる。台車４１を見る者は、一般に上方から見る場合が多いので、車輪５２ａを接地面から５ｍｍ程度露出させても、台車４１の外観上ほとんど見えない状態となる。
【００５３】
（４）第１の脱落防止突部４５
第１の脱落防止突部４５は、載置面４８の各角部近傍に設けられ、１つの収納箱１１が載置面４８と同じ向きに載置されたときに、１つの収納箱１１の支持脚１６に係合して、１つの収納箱１１が載置面４８から脱落することを防止する。図１又は図９乃至図１１に示すように、第１の脱落防止突部４５は、収納箱１１が載置面４８に載置されたときに、支持脚１６との間に間隙ができるような、支持脚１６に囲まれる領域より広い領域を囲む位置に設けられている。ここでは、第１の脱落防止突部４５は、支持脚１６の角部に係合し得るように、略Ｌ字状に形成されている。なお、載置部４８には、収納箱１１の支持脚１６の各辺に平行な第１の脱落防止突部４５を複数、例えば、収納箱１１の支持脚１６の各辺に１つ以上設けるようにしてもよい。
【００５４】
（５）第２の把持部４６
第２の把持部４６は、本体部４２の相対する短辺より外側に張り出すように一体成型されるものであり、短辺の中央部分に形成される握り部５６と、握り部５６の両側に形成される支持板５５と、握り部５６や支持板５５を補強する補強リブ５７とを有する。
【００５５】
握り部５６は、本体部４２の短辺より外側に張り出すように形成されており、本体部４２の短辺と平行に膨出部４９が形成され、例えば、手の指を引っ掛けることができるようになっている。握り部５６は、台車４１の持ち運び時に人差し指から小指が引っ掛かる凹部が複数形成され、持ち運びをし易くしている。握り部５６、補助握り部材５８及び支持板５５で囲まれる空間は、貫通した空間部５９を構成しており、手で持ったとき、指を通すことができるようになっている。握り部５６は、本体部４２と同じ材料及び同じ色で形成されており、本体部４２との一体感を出すようにしている。なお、握り部５６は、本体部４２と異なる色で形成してもよい。交換による長寿命化や、色彩を変えてデザイン上の演出をすることができる。この握り部５６の両側には、支持板５５が形成され荷重のかかる握り部５６を補強する。更に、握り部５６や支持板５５の裏面には、補強リブ５７が垂下するように設けられ、握り部５６全体を補強するようにしている。
【００５６】
握り部５６の上側には、膨出部４９を形成するネジ止め式の補助握り部材５８が取り付けられる。補助握り部材５８は、次に説明する第２の脱落防止突部４７を構成する。
【００５７】
（６）第２の脱落防止突部４７
第２の脱落防止突部４７は、第２の把持部４６の上側に膨出する膨出部４９が形成されており、第２の脱落防止突部４７は、膨出部４９の内側壁部である。本体部４２の載置面４８に、載置面４８の長辺に対して横向きに２つの収納箱の長辺を突き合わせて並べて載置したときに、隣り合う収納箱の支持脚の外側の長辺に係合し、２つの収納箱１１が載置面４８から脱落することを防止する。第２の脱落防止突部４７は、２つの収納箱１１が載置面４８に載置されたときに、支持脚１６との間に間隙が形成される位置に形成される。すなわち、相対する第２の脱落防止突部４７の間の距離は、２つ並べた収納箱１１の支持脚１６の短辺の長さの合計よりも長くなるように、第２の脱落防止突部４７は形成される。
【００５８】
膨出部４９及び第２の脱落防止突部４７は、上述の補助握り部材５８上に形成されるので、形成位置を変えた補助握り部材５８を用意すれば、相対する第２の脱落防止突部４７間の距離を変更することができる。
【００５９】
４．運搬システムの使用方法
（１）収納箱１１の使用方法
本運搬システム１に用いる収納箱１１は、開口部１５から収納部１２に出玉を収納することができる。
【００６０】
この収納箱１１は、底面部１３から握り部２３までの距離を７０ｍｍ程度とすることで、遊技機台の前に収納箱１１を置いた場合に、遊技者は、遊技機のハンドルを持つ手を、この握り部２３上に置くこともできる。
【００６１】
また、この収納箱１１は、静電気放電用孔１９の孔部１９ａに出玉を１つ入れて出玉の一部を床等に接触させることで、静電気を床等に放電することができる。静電気放電用孔１９の孔径は、出玉が孔から外部に落ちない程度であって、かつ出玉の先端が床等に接触する程度に設定される。例えば、パチンコ玉の径は、１１ｍｍ程度なので、静電気放電用孔１９の孔径は、７ｍｍ程度の円形としている。
【００６２】
収納箱１１の側面部１４の上端周囲に沿って、外側に張り出す段部１８があるので、収納した出玉を段部１８に滞留させることで、出玉がはじき出されるのを防止することができる。
【００６３】
また、図１に示すように、出玉が収納部１２一杯になったときには、収納箱１１は、足元の台車４１の上に載置される。
【００６４】
図６乃至図８に示すように、この収納箱１１は、収納部１２の底面部に中板３１を配置して、収納部１２の深さを変更することができる。中板３１は、収納部１２の底面部１３の係合孔２０に弾性係合片３４を係合させ、収納部１２の底面部１３に取り付けることができる。深さ規定片３５を収納部１２の底面部１３に突き当てることによって、収納部１２内の所定の高さに配され、収納部１２の深さを変更することができる。
【００６５】
また、収納部１２の深さを適宜変更できるように、深さ規定片３５や弾性係合片３４の長さが異なる複数の中板３１を用意してもよい。
【００６６】
なお、中板３１には、更に収納部１２の底面部１３に形成された第１の静電気放電用孔１９に対応する第２の静電気放電用孔３３が形成されている。この第２の静電気放電用孔３３は、収納部１２の底面部１３の第１の静電気放電用孔１９の周壁１９ｂと連続し、１つの放電用孔を構成する。周壁１９ｂと周壁３３ｂが上側に向かって拡径するように形成されていることで、中板３１を取り付けた場合であっても、静電気放電用孔１９に嵌った出玉を容易に指で取り出すことができる。
【００６７】
また、補助握り部材２５は、収納箱１１の持ち運び時に人差し指から小指が引っ掛かる凹部が複数形成されているので、収納箱１１の持ち運びをし易くし、遊技者又は遊技店店員は、重量物である出玉の満載された収納箱１１を安全に持ち運ぶことができる。
【００６８】
更に、補助握り部材２５は、収納部１２と同じ材料及び同じ色で形成されており、収納部１２との一体感を出すようにしているが、収納部１２と異なる色で形成してデザイン上の演出もできる。また、補助握り部材２５の交換による長寿命化を図ることもできる。
【００６９】
（２）収納箱１１を台車４１に１列分積み重ねる場合
収納箱１１に出玉が一杯になったとき、出玉の満載された収納箱１１は、例えば遊技者の足元にある台車４１に載置される。
【００７０】
この台車４１の載置面４８には、第１の脱落防止突部４５が設けられている。第１の脱落防止突部４５は収納箱１１の支持脚１６より一回り大きな領域を囲むように各角部の近傍に設けられている。従って、収納箱１１は、載置面４８上の第１の脱落防止突部４５に囲まれる領域内に容易に載置することができる。特に、台車４１は、キャスタ４３を有しているため、収納箱１１を台車４１上に載置する作業をしている場合に、台車４１が動いてしまうことがある。このような台車４１が動いてしまうような場合にも、第１の脱落防止突部４５に囲まれる領域が収納箱１１の支持脚１６よりも広く形成されているので、収納箱１１を第１の脱落防止突部４５で囲まれる領域内に容易に置くことができる。
【００７１】
図１２Ａに示すように、台車４１ａ上の収納箱１１ａには、更に出玉が一杯になった収納箱１１ｂを積み上げることができる。収納箱１１ａ上に、更に収納箱１１ｂを積み上げる場合には、上段に置く収納箱１１ｂの支持脚１６を、下段の収納箱１１ａの段部１８又は側面部１４の内壁に係合させるように積み上げる。上段の収納箱１１ｂの支持脚１６の内側には、下段の収納箱１１ａに盛り上がるように入った出玉の一部が収納されることになる。かくして、台車４１ａに載置された収納箱１１ａ上には、更なる収納箱１１ｂを積み上げることができる。
【００７２】
また、最下段の台車４１ａは、その覆い壁部４４の先端がキャスタ４３をほとんど隠しているので、キャスタ４３は、ほとんど見ることはできない。そして、台車４１ａの外観も、収納箱１１ａ、１１ｂと略同じであるため、台車４１ａの分だけ、一段余分に収納箱を積み重ねているように見せることができる。
【００７３】
図１２Ａに示す如く、積み上げる収納箱は２つに限られず、複数の収納箱を積み上げることができ、複数の収納箱１１が積み上げられた台車４１は、台車４１及び／又は積み上げられた収納箱１１を、遊技者又は遊技店店員が押すことにより運ばれる。
【００７４】
（３）収納箱１１を台車４１に２列分積み重ねる場合
図２に示すように、この台車４１の第２の脱落防止突部４７上には、第２の脱落防止突部４７が設けられている。第２の脱落防止突部４７は、台車４１の載置面４８に、載置面４８の長辺に対して横向きに２つの収納箱１１を、その長辺を突き合わせるように並べて載置したときに、隣り合う収納箱１１の支持脚１６の外側の長辺に係合し、２つの収納箱１１が載置面４８から脱落することを防止する。
【００７５】
ここで、相対する第２の脱落防止突部４７の間の距離は、２つの収納箱１１を並べて置いたときに、一方の収納箱１１の外側の支持脚１６と他方の収納箱１１の外側の支持脚１６との距離よりやや長い距離に設定される。従って、図２に示すように、２つの収納箱１１は、相対する第２の脱落防止突部４７の間に容易に載置することができる。１列に載置する場合と同様に、台車４１は、キャスタ４３により動いてしまうときであっても、収納箱１１を相対する第２の脱落防止突部４７の間に容易に置くことができる。
【００７６】
図１２Ｃに示すように台車４１ａ上の２つの収納箱１１ａ、１１ｂ上には、更に出玉が一杯になった収納箱１１ｃ、１１ｄをそれぞれ積み上げることができる。収納箱１１ａ、１１ｂ上に、更に収納箱１１ｃ、１１ｄを積み上げる場合には、上段に置く収納箱１１ｃ、１１ｄの支持脚１６を下段の収納箱１１ａ、１１ｂの段部１８又は側面部１４の内壁に係合させるように積み上げられる。上段の収納箱１１の支持脚１６の内側には、下段の収納箱１１に盛り上がるように入った出玉の一部が収納されることになる。かくして、台車４１ａに載置された収納箱１１ａ、１１ｂ上には、更なる収納箱１１ｃ、１１ｄを積み上げることができる。
【００７７】
また、最下段の台車４１ａも、収納箱１１ａ乃至１１ｄと略同じ外観をしているため、一段余分に収納箱があるように見せることができ、複数の収納箱１１が積み上げられた台車４１は、遊技者又は遊技店店員が押すことにより運ばれるのは上述の場合と同様である。
【００７８】
（４）収納箱１１に台車４１を積み重ねる場合
収納箱１１に出玉が一杯になったとき、出玉の満載された収納箱１１は、例えば遊技者の足元にある台車４１に載置され、又は直接床等に載置される。かかる場合に収納箱１１上に、台車４１を載置することができる。
【００７９】
図１２Ｂに示すように、収納箱１１ａに台車４１ｂを積み上げる場合には、収納箱１１ａの上段に置く台車４１ｂの覆い壁部４４の先端を下段の収納箱１１ａの段部１８又は側面部１４の内壁に係合させるようにして積み上げられる。上段の台車４１ｂの覆い壁部４４の内側には、下段の収納箱１１ａに盛り上がるように入った出玉の一部が収納されることになる。かくして、台車４１ａに載置された収納箱１１ａ上には、台車４１ｂを積み上げることができる。これにより、収納箱１１ａ内の出玉が台車４１ｂの覆い壁部４４に隠されて見えなくなり、第三者による盗難を防止することができる。
【００８０】
図１２Ｂに示すように、台車４１ａ上に１列に載置した収納箱１１ａ上に台車４１ｂを載置することに限らず、図１２Ｄのように、台車４１ａ上に２列に収納箱１１ａ、１１ｂを積み上げ、その上にそれぞれ台車４１ｂ、４１ｃを載置することができる。
【００８１】
収納箱１１ａ、１１ｂ上に積み上げた台車４１ｂ、４１ｃ上にも、更に収納箱１１を１列にして載置することができる。
【符号の説明】
【００８２】
１  運搬システム、１１  収納箱、１１ａ  収納箱、１１ｂ  収納箱、１１ｃ  収納箱、１１ｄ  収納箱、１２  収納部、１３  底面部、１４  側面部、１５  開口部、１６  支持脚、１８  段部、１９  静電気放電用孔、１９ａ  孔部、１９ｂ  周壁、２０  係合孔、２１  第１の把持部、２２  支持板、２３  握り部、２４  補強リブ、２４ａ  取付孔、２５  補助握り部材、２５ａ  取付突部、２６  膨出部、２７  空間部、３１  中板、３２  板本体、３３  静電気放電用孔、３３ａ  孔部、３３ｂ  周壁、３４  弾性係合片、３５  深さ規定片、４１  台車、４１ａ  台車、４１ｂ  台車、４１ｃ  台車、４２  本体部、４３  キャスタ、４４  覆い壁部、４５  第１の脱落防止突部、４６  第２の把持部、４７  第２の脱落防止突部、４８  載置面、４９  膨出部、５０  補強リブ、５１  車軸、５２ａ  車輪、５２ｂ  支持板、５３  キャスタ支持台、５５  支持板、５６  握り部、５７  補強リブ、５８  補助握り部材、５９  空間部
【図１】
0005232200.tif 000002
【図２】
0005232200.tif 000003
【図３】
0005232200.tif 000004
【図４】
0005232200.tif 000005
【図５】
0005232200.tif 000006
【図６】
0005232200.tif 000007
【図７】
0005232200.tif 000008
【図８】
0005232200.tif 000009
【図９】
0005232200.tif 000010
【図１０】
0005232200.tif 000011
【図１１】
0005232200.tif 000012
【図１２Ａ】
0005232200.tif 000013
【図１２Ｂ】
0005232200.tif 000014
【図１２Ｃ】
0005232200.tif 000015
【図１２Ｄ】
0005232200.tif 000016